(57)【特許請求の範囲】
【請求項１】
固形状である内容物と、内容物を封入する袋体と、内容物及び袋体を収容する容器とを備え、
容器は、内容物が通過するのを防止すべく内容物を係止可能な形状に形成される開口部を、一方側及び他方側にそれぞれ備え、
袋体は、各開口部を介して容器から露出する露出部を一対備えると共に、他方側の開口部から引き出される際に内容物が袋体から出られるように、一方側の露出部で開封可能に構成される容器体であって、
容器は、袋体が他方側の開口部から引き出し可能な状態で内容物を保持する保持手段をさらに備えることを特徴とする容器体。
【請求項２】
保持手段は、内容物が挿入されるべく筒状に形成される請求項１に記載の容器体。
【請求項３】
内容物を封入する袋体を収容する容器において、
袋体の一部を一方側及び他方側からそれぞれ露出させるべく、一方側及び他方側にそれぞれ開口部を備えると共に、内容物を保持する保持手段を備え、
各開口部は、内容物が通過するのを防止すべく、内容物を係止可能な形状に形成されることを特徴とする容器。
【請求項４】
請求項１又は２に記載の容器体における、袋体の開封方法であって、
内容物が袋体から出られるように、一方側の露出部で袋体を開封する工程と、
他方側の露出部を操作することで、内容物が容器の内部で袋体から押し出されるように、袋体を他方側の開口部から引き出す工程とを備えることを特徴とする袋体の開封方法。
【発明の詳細な説明】
【技術分野】
【０００１】
本発明は、内容物と、内容物を封入する袋体と、内容物及び袋体を収容する容器とを備える容器体に関する。また、本発明は、内容物を封入する袋体を収容する容器に関する。さらに、本発明は、斯かる容器体における袋体の開封方法に関する。
【背景技術】
【０００２】
従来、容器体として、例えば芳香剤、防虫剤といった固形状やジェル状の内容物と、内容物を収容する容器とを備える容器体が知られている（例えば、特許文献１）。斯かる容器体によれば、内容物を指で持って容器の内部に設置することで、容器の内部に内容物を収容できる。
【先行技術文献】
【特許文献】
【０００３】
【特許文献１】特開２００４−２２４３８２号公報
【発明の概要】
【発明が解決しようとする課題】
【０００４】
しかしながら、特許文献１に係る容器体によれば、内容物を指で持つ必要があるため、衛生上や安全上で好ましくない場合もある。例えば、吸収材に揮発性液体を吸収させたものが内容物である場合、内容物を容器の内部に設置する際に、指に揮発性液体が付着するため、安全上好ましくないこともある。
【０００５】
よって、本発明は、斯かる事情に鑑み、内容物を指で持つことなく、容器の内部に内容物を設置できる容器体、その容器及び袋体の開封方法を提供することを課題とする。
【課題を解決するための手段】
【０００６】
本発明に係る容器体は、固形状である内容物と、内容物を封入する袋体と、内容物及び袋体を収容する容器とを備え、容器は、内容物が通過するのを防止すべく内容物を係止可能な形状に形成される開口部を、一方側及び他方側にそれぞれ備え、袋体は、各開口部を介して容器から露出する露出部を一対備えると共に、他方側の開口部から引き出される際に内容物が袋体から出られるように、一方側の露出部で開封可能に構成される容器体であって、容器は、袋体が他方側の開口部から引き出し可能な状態で内容物を保持する保持手段をさらに備えることを特徴とする。
【０００７】
斯かる構成の容器体によれば、容器の一方側に設けられる開口部を介して、一方側の露出部が容器から露出していると共に、容器の他方側に設けられる開口部を介して、他方側の露出部が容器から露出している。そして、保持手段で保持されている内容物が袋体から出られるように、まず、袋体が一方側の露出部で開封される。
【０００８】
その後、他方側の露出部が操作されることで、袋体が他方側の開口部から引き出されると、開口部が内容物を係止可能な形状に形成されているため、内容物が開口部を通過するのを防止でき、その結果、内容物が容器の内部で袋体から押し出される。しかも、袋体が他方側の開口部から引き出し可能な状態で、保持手段が内容物を保持しているため、袋体が容器から引き抜かれると、内容物が保持手段に保持された状態で容器の内部に収容された容器体を得ることができる。
【０００９】
また、本発明に係る容器体においては、保持手段は、内容物が挿入されるべく筒状に形成されてもよい。
【００１０】
斯かる構成の容器体によれば、内容物が筒状に形成される保持手段に挿入されている。これにより、袋体が他方側の開口部から引き出される際に、袋体が保持手段の軸心方向に沿って移動できる一方、保持手段が軸心方向と交差する方向で内容物を係止できる。したがって、内容物が袋体に封入されている際に、保持手段が内容物を保持できると共に、内容物が袋体から出された際も、保持手段が内容物を保持できる。
【００１１】
また、本発明に係る容器は、内容物を封入する袋体を収容する容器において、袋体の一部を一方側及び他方側からそれぞれ露出させるべく、一方側及び他方側にそれぞれ開口部を備えると共に、内容物を保持する保持手段を備え、各開口部は、内容物が通過するのを防止すべく、内容物を係止可能な形状に形成されることを特徴とする。
【００１２】
斯かる構成の容器によれば、一方側に設けられる開口部を介して、袋体の一部が容器から露出していると共に、他方側に設けられる開口部を介して、袋体の一部が容器から露出している。そして、保持手段で保持されている内容物が袋体から出られるように、まず、袋体が何れか一方の露出している部位で開封される。
【００１３】
その後、袋体の反対側の露出している部位が操作されることで、袋体が開口部から引き出されると、各開口部が内容物を係止可能な形状に形成されているため、内容物が開口部を通過するのを防止でき、その結果、内容物が容器の内部で袋体から押し出される。しかも、保持手段が内容物を保持しているため、袋体が容器から引き抜かれると、内容物が保持手段に保持された状態で容器の内部に収容される。
【００１４】
また、本発明に係る袋体の開封方法は、前記容器体における、袋体の開封方法であって、内容物が袋体から出られるように、一方側の露出部で袋体を開封する工程と、他方側の露出部を操作することで、内容物が容器の内部で袋体から押し出されるように、袋体を他方側の開口部から引き出す工程とを備えることを特徴とする。
【００１５】
斯かる袋体の開封方法によれば、内容物が袋体から出られるように、一方側の露出部で袋体を開封する。そして、他方側の露出部を操作することで、他方側の開口部から袋体を引き出すことにより、内容物が容器の内部で袋体から押し出される。これにより、内容物が保持手段に保持された状態で容器の内部に収容された容器体を得ることができる。
【発明の効果】
【００１６】
以上の如く、本発明に係る容器体及び袋体の開封方法によれば、内容物を指で持つことなく、容器の内部に内容物を設置できるという優れた効果を奏する。また、本発明に係る容器によれば、内容物を指で持つことなく、内部に内容物を設置できるという優れた効果を奏する。
【図面の簡単な説明】
【００１７】
【図１】本発明の一実施形態に係る容器体の全体図であって、（ａ）及び（ｂ）はそれぞれ斜視図を示す。
【図２】同実施形態に係る容器体の全体図であって、分解斜視図を示す。
【図３】同実施形態に係る内容物及び袋体の全体図であって、（ａ）は平面図、（ｂ）はＡ−Ａ線における断面図を示す。
【図４】同実施形態に係る容器の全体図であって、（ａ）及び（ｂ）はそれぞれ斜視図を示す。
【図５】同実施形態に係る容器の全体図であって、（ａ）は平面図、（ｂ）は正面図、（ｃ）はＢ−Ｂ線における断面図を示す。
【図６】同実施形態に係る容器の部品図であって、（ａ）は第１部材の一部内視斜視図、（ｂ）は第２部材の斜視図を示す。
【図７】同実施形態に係る容器体における袋体の開封方法を説明する図であって、（ａ）は平面図、（ｂ）はＣ−Ｃ線における断面図を示す。
【図８】同実施形態に係る容器体における袋体の開封方法を説明する図であって、（ａ）は平面図、（ｂ）はＤ−Ｄ線における断面図を示す。
【図９】同実施形態に係る容器体における袋体の開封方法を説明する図であって、（ａ）は平面図、（ｂ）はＥ−Ｅ線における断面図を示す。
【図１０】同実施形態に係る容器体における袋体の開封方法を説明する図であって、（ａ）は平面図、（ｂ）はＦ−Ｆ線における断面図を示す。
【図１１】本発明の他の実施形態に係る容器体の全体図であって、（ａ）及び（ｂ）はそれぞれ斜視図を示す。
【図１２】本発明のさらに他の実施形態に係る容器体の全体図であって、分解斜視図を示す。
【図１３】本発明のさらに他の実施形態に係る容器の全体図であって、分解斜視図を示す。
【図１４】本発明のさらに他の実施形態に係る容器の要部図であって、（ａ）〜（ｃ）はそれぞれ縦断面図を示す。
【発明を実施するための形態】
【００１８】
以下、本発明に係る容器体及び容器における一実施形態について、図１〜図１０を参酌して説明する。
【００１９】
本実施形態に係る容器体は、図１〜図６に示すように、内容物１と、内容物１を封入する袋体２と、内容物１及び袋体２を収容する容器３とを備える。なお、詳細は後述するが、容器体は、袋体２に封入されている内容物１が袋体２から取り出され、内容物１が容器３の内部に収容された状態で使用される。
【００２０】
内容物１は、固形状に形成されていると共に、長尺な円柱状に形成されている。本実施形態において、内容物１は、芳香剤や忌避剤といった揮発性の液体が吸収された円柱状の吸収材としている。
【００２１】
袋体２は、長尺な筒状に形成されていると共に、紙、ナイロン、ビニール、プラスチック等のフィルムから形成されることにより、可撓性を有するように形成されている。そして、袋体２は、内容物１を封入する袋状の封入部２１と、封入部２１を封止すべく、封入部２１の長手方向の外縁をシールする第１シール部２２，２２と、封入部２１の幅方向の外縁をシールする第２シール部２３，２３とを備える。また、袋体２は、容器３から露出する露出部２４，２５を一対備える。
【００２２】
第１の露出部（以下、単に「第１露出部」ともいう）２４は、長手方向の一方側に配置され、容器３の一方側から露出するように配置されると共に、第２の露出部（以下、単に「第２露出部」ともいう）２５は、長手方向の他方側に配置され、容器３の他方側から露出するように配置される。また、第１露出部２４は、切断の開始となる切欠の切断開始部２４１を備える。これにより、袋体２は、第１露出部２４が切断開始部２４１から切断されることで、内容物１が袋体２から出られるように開封される。
【００２３】
容器３は、長尺な筒状に形成される容器本体３１と、容器本体３１の長手方向における各端部に配置される第１及び第２端壁部３２，３３とを備える。また、容器３は、内容物１を保持する保持手段３４を備える。なお、容器３は、硬質樹脂や金属等で形成されている。
【００２４】
容器本体３１は、互いに対面するように配置される第１及び第２端壁部３２，３３を連結する第１〜第４周壁部３１１〜３１４を備え、角筒状に形成されている。そして、容器本体３１は、容器３の内部と外部とを連通させるべく、少なくとも一つ（本実施形態においては、三つ）の周壁部３１１〜３１３に、内容物１が通過するのを防止可能な開口である連通部３１５，…を複数備える。
【００２５】
第１周壁部３１１は、長手方向の一端部に、先端部が第１端壁部３２に連結される連結片３１１ａを備えると共に、連結片３１１ａの外面側に、指で操作されるための球面状の窪み部３１１ｂを備える。そして、連結片３１１ａは、第１周壁部３１１と対面して配置される第４周壁部３１４に対して先端部が接離するように、弾性変形可能に構成されている。
【００２６】
第１端壁部３２は、袋体２の第１露出部２４が容器３から露出するための第１の開口部（以下、単に「第１開口部」ともいう）３２１を備える。また、第１端壁部３２は、袋体２を挟持する第１及び第２挟持片３２２，３２３を備える。
【００２７】
第１開口部３２１は、挟持片３２２，３２３同士が離間した状態で生じる挟持片３２２，３２３間の隙間で構成されている。そして、第１開口部３２１は、内容物１が通過するのを防止すべく、各挟持片３２２，３２３で内容物１を係止可能な形状に形成されている。具体的には、第１開口部３２１は、内容物１よりも小さく形成されている。より具体的には、挟持片３２２，３２３間の隙間の幅寸法が内容物１の径寸法より小さく設定されている。
【００２８】
第１挟持片３２２は、第１周壁部３１１の連結片３１１ａに連結されると共に、第２挟持片３２３は、第２〜第４周壁部３１２〜３１４に連結される。そして、第１挟持片３２２は、連結片３１１ａが弾性変形することにより、第２挟持片３２３と接離可能に構成されている。
【００２９】
第２側壁部３３は、袋体２の第２露出部２５が容器３から露出するための第２の開口部（以下、単に「第２開口部」ともいう）３３１を備える。そして、第２開口部３３１は、内容物１が通過するのを防止できる形状、即ち、内容物１を係止可能な形状に形成されている。具体的には、第２開口部３３１は、内容物１よりも小さく形成されている。より具体的には、第２開口部３３１は、スリット状に形成され、幅寸法が内容物１の径寸法よりも小さくなるように設定されている。
【００３０】
保持手段３４は、内容物１の長手方向の各端部を保持する第１及び第２保持部３４１，３４２を備える。そして、第１保持部３４１は、第１端壁部３２に連結されていると共に、第２保持部３４２は、第２端壁部３３に連結されている。
【００３１】
各保持部３４１（３４２）は、内容物１が挿入されるべく筒状、具体的には、円筒状に形成されている。そして、各保持部３４１（３４２）は、開口部３２１，３３１同士が対面する方向に対して、軸心方向が平行となるように配置されている。換言すると、各保持部３４１（３４２）は、軸心方向が容器３の長手方向と平行となるように配置されている。
【００３２】
また、各保持部３４１（３４２）は、開口部３２１（３３１）と連通し且つ軸心方向に沿って延設される溝部３４１ａ，３４１ａ（３４２ａ，３４２ａ）を備える。そして、各溝部３４１ａ（３４２ａ）は、容器３が袋体２に封入された内容物１を収容する際に、袋体２の第１シール部２２が配置され、容器３から袋体２を引き出す際に、袋体２の第１シール部２２を案内する。
【００３３】
ところで、容器３は、凹部３０ａ，…を有する第１部材３ａと、第１部材３ａと着脱自在とすべく、凹部３０ａに嵌合する凸部３０ｂ，…を有する第２部材３ｂとを備えることで、長手方向と直交する方向で分割可能に構成される。そして、第１部材３ａは、容器本体３１（第１〜第４周壁部３１１〜３１４）、第１端壁部３２、及び第１保持部３４１を備えると共に、第２部材３ｂは、第２端壁部３３及び第２保持部３４２を備える。
【００３４】
本実施形態に係る容器体及び容器３の構成については以上の通りであり、次に、本実施形態に係る容器体における袋体２の開封方法について、図７〜図１０を参酌して説明する。
【００３５】
図７に示すように、容器３の第１開口部３２１を介して、袋体２の第１露出部２４が容器３の外部に露出していると共に、容器３の第２開口部３３１を介して、袋体２の第２露出部２５が容器３の外部に露出している。斯かる状態においては、各開口部３２１，３３１が内容物１よりも小さく設定されているため、各開口部３２１，３３１から、内容物１を引き出したり、袋体２を完全に引き抜いたりすることはできない。即ち、内容物１は、各開口部３２１，３３１により、長手方向の移動が規制されている。
【００３６】
そして、内容物１は、一端部が第１保持部３４１に挿入され且つ他端部が第２保持部３４２に挿入されることで、長手方向と直交する方向の移動が規制され、保持手段３４に保持されている。また、各保持部３４１，３４２の溝部３４１ａ，３４２ａ（図７において図示していない）には、袋体２の第１シール部２２（図７において図示していない）が挿通され、袋体２の第１シール部２２の先端側が各保持部３４１，３４２から露出している。
【００３７】
まず、図８に示すように、第１周壁部３１１から第４周壁部３１４に向かう方向（図８（ｂ）のＰ矢印方向）に、窪み部３１１ｂを押す（操作する）。すると、連結片３１１ａが弾性変形して、第１挟持片３２２が第２挟持片３２３に接近するため、第１及び第２挟持片３２２，３２３で袋体２（具体的には、第１露出部２４における切断開始部２４１よりも基端側）を挟持できる。
【００３８】
そして、第１露出部２４に設けられる切断開始部２４１から袋体２（第１露出部２４）の切断を開始する。このとき、切断される部位の近傍を第１及び第２挟持片３２２，３２３が挟持しているため、袋体２を切断するのに伴って、袋体２が移動するのを防止できる。そして、袋体２が第１露出部２４で開封されるため、当該開封された部位を介して、内容物１が袋体２の外部に出られるようになる。
【００３９】
その後、窪み部３１１ｂを押す（操作する）のを解除すると、図９に示すように、連結片３１１ａが弾性力により復元し、第１挟持片３２２が第２挟持片３２３から離反するように移動する。そして、第２露出部２５（図９において図示していない）を把持して引く（操作する）ことで、袋体２が第２開口部３３１から長手方向（図９のＱ矢印方向）に向けて引き出される。
【００４０】
すると、内容物１が通過するのを防止できる形状に、第２開口部３３１が形成されているため、第２開口部３３１が袋体２を介して内容物１を係止し、その結果、内容物１が容器３の内部で袋体２から押し出される。このとき、袋体２の第１シール部２２（図９において図示していない）が各保持部３４１，３４２の各溝部３４１ａ，３４２ａ（図９において図示していない）を通過すると共に、保持部３４１，３４２の各溝部３４１ａ，３４２ａが袋体２の第１シール部２２を案内している。
【００４１】
そして、図１０に示すように、袋体２が第２開口部３３１を介して容器３から完全に引き抜かれると、内容物１が保持手段３４で保持された状態で容器３の内部に収容された容器体を得ることができる。そして、内容物１は、各開口部３２１，３３１により、長手方向の移動が規制されていると共に、各保持部３４１，３４２により、長手方向と直交する方向（径方向、幅方向）の移動が規制されている。
【００４２】
以上より、本実施形態に係る容器体及び容器３によれば、容器３の一方側に設けられる第１開口部３２１を介して、一方側の第１露出部２４が容器３から露出していると共に、容器３の他方側に設けられる第２開口部３３１を介して、他方側の第２露出部２５が容器３から露出している。
【００４３】
そして、保持手段３４で保持されている内容物１が袋体２から出られるように、まず、袋体２が第１露出部２４で開封される。その後、第２露出部２５が操作されることで、袋体２が第２開口部３３１から引き出されると、各開口部３２１，３３１が内容物１を係止可能な形状に形成されているため、内容物１が開口部３２１，３３１を通過するのを防止でき、その結果、内容物１が容器３の内部で袋体２から押し出される。
【００４４】
しかも、袋体２が第２開口部３３１から引き出し可能な状態で、保持手段３４が内容物１を保持しているため、袋体２が容器３から引き抜かれると、内容物１が保持手段３４に保持された状態で容器３の内部に収容された容器体を得ることができる。そして、各開口部３２１，３３１により、内容物１の長手方向の移動を規制できると共に、各保持部３４１，３４２により、内容物１の長手方向と直交する方向の移動を規制できる。
【００４５】
また、本実施形態に係る容器体及び容器３によれば、内容物１が筒状に形成される保持手段３４の各保持部３４１，３４２に挿入されている。これにより、袋体２が第２開口部３３１から引き出される際に、袋体２が各保持部３４１，３４２の軸心方向に沿って移動する一方、各保持部３４１，３４２が径方向で内容物１を係止することができる。したがって、内容物１が袋体２に封入されている際に、保持手段３４が内容物１を保持できると共に、内容物１が袋体２から出された際も、保持手段３４が内容物１を保持できる。
【００４６】
また、本実施形態に係る容器体及び容器３によれば、互いに接離可能な一対の挟持片３２２，３２３が離間することで、第１開口部３２１が構成されている。これにより、第１挟持片３２２が第２挟持片３２３に接近することで袋体２を挟持できるため、第１露出部２４で袋体２を開封する際に、袋体２が移動する（位置ずれする）のを防止でき、その結果、第１露出部２４で袋体２を開封する作業を容易にすることができる。
【００４７】
また、本実施形態に係る容器体によれば、第１露出部２４に、切断の開始となるための切断開始部２４１が設けられている。これにより、切断開始部２４１から切断を開始することで、切断工具等を用いることなく、第１露出部２４を切断できるため、第１露出部２４で袋体２を開封する作業を容易にすることができる。
【００４８】
なお、本発明に係る容器体及び容器並びに袋体の開封方法は、上記した実施の形態に限定されるものではなく、本発明の要旨を逸脱しない範囲内において種々変更を加え得ることは勿論である。また、下記する各種の変更例に係る構成や方法等を任意に選択して、上記した実施形態に係る構成や方法等に採用してもよいことは勿論である。
【００４９】
例えば、本発明に係る容器体及び容器３は、床の上等に設置する場合、即ち、床置きタイプである場合でもよく、例えば、フック等に掛けられて吊られる場合、即ち、吊下げタイプである場合でもよい。そして、吊下げタイプの場合には、容器３に、フック等に引っ掛けられる引掛部が設けられる構成でもよく、また、図１１に示すように、容器３に着脱自在な引掛部材４を備える構成でもよい。
【００５０】
斯かる引掛部材４は、フック等に引っ掛けられる引掛部４１と、第１開口部３２１に嵌め込められる嵌込部４２，４２とを備える。そして、各嵌込部４２が先鋭なテーパ状に形成されているため、各嵌込部４２を第１開口部３２１に向けて（図１１におけるＲ矢印方向に）押圧すると、各嵌込部４２が第１挟持片３２２を第２挟持片３２３から離反させる。これにより、第１開口部３２１に各嵌込部４２を容易に嵌め込むことができるため、引掛部材４を容易に容器３に取り付けることができる。
【００５１】
また、本発明に係る容器体及び容器３は、容器３の開口部３２１，３３１に、外周部で袋体２に接する回転体が設けられてなる構成でもよい。具体的には、容器３の開口部３２１，３３１に、袋体２を挟むように一対の回転体（回転ローラ）が配設され、円柱状の各回転体は、袋体２を挟む方向と直交する方向を中心に回転可能に構成されてもよい。
【００５２】
斯かる構成によれば、袋体２が開口部３２１，３３１から引き出されるのに伴って、外周部で袋体２に接する回転体が回転する。これにより、回転体が無い場合と比較して、例えば、袋体２を開口部３２１，３３１から引き出す力（袋体２と容器３との摩擦力）を小さくすることもできるため、袋体２を開口部３２１，３３１から円滑に引き出すことができる。
【００５３】
また、上記実施形態に係る容器体においては、内容物１が揮発性液体を吸収させた吸収材である構成を説明したが、斯かる構成に限られない。例えば、内容物は、ドライアイスといった気化する固形状である構成でもよい。要するに、内容物１は、保持手段３４で保持できる程度に固形状である構成であればよい。
【００５４】
また、上記実施形態に係る容器体においては、袋体２の封入部２１が長手方向に亘って略同一の幅寸法で形成されている構成を説明したが、斯かる構成に限られない。例えば、袋体２は、封入部２１が長手方向の他方側から一方側に向けて幅広となるように形成される構成でもよい。斯かる構成によれば、一方側の第１露出部２４で袋体２を開封することにより、袋体２の開放する部位を大きくすることができるため、袋体２から内容物１を出し易くできる。
【００５５】
また、上記実施形態に係る容器体においては、袋体２に設けられる切断開始部２４１が切欠である構成を説明したが、斯かる構成に限られない。例えば、切断開始部２４１は、ハーフカット、切込、又は複数の穴（貫通、非貫通微細孔）等から構成されてもよく、要するに、切断工具を用いることなく、切断できる構成であればよい。
【００５６】
また、上記実施形態に係る容器体においては、切断開始部２４１が第１露出部２４に設けられる構成を説明したが、斯かる構成に限られない。例えば、切断開始部２４１は、第２露出部２５にも設けられる構成でもよい。
【００５７】
また、上記実施形態に係る容器体及び容器３においては、容器本体３１及び第１端壁部３２を有する第１部材３ａと、第２端壁部３３を有する第２部材３ｂとを備える構成を説明したが、斯かる構成に限られない。例えば、図１２に示すように、容器本体３１及び第２端壁部３３を有する第１部材３ａと、第１端壁部３２を有する第２部材３ｂとを備える構成でもよい。
【００５８】
斯かる構成によれば、まず、第１開口部３２１から露出する第１露出部２４を第１及び第２挟持片３２２，３２３で挟持した状態で、第１露出部２４を開封する。そして、一方の手で第２露出部２５を把持すると共に、他方の手で容器本体３１を把持することで、袋体２を第２開口部３３１から引き出す。
【００５９】
したがって、袋体２と第２開口部３３１との間で大きな摩擦力が発生した場合でも、袋体２を介して、一方の手の力が作用する第２開口部３３１（第２端壁部３３）と、他方の手の力が作用する容器本体３１とが一体的に形成されているため、第１部材３ａと第２部材３ｂとが不用意に外れるのを防止できる。なお、図１２に示す容器本体３１には、袋体２を第２開口部３３１から引き出す際に、把持されるための凹状部３１６，３１６（図１２においては、一つのみ図示している）が第２及び第３周壁部３１２，３１３の第２端壁部３３側にそれぞれ設けられている。
【００６０】
また、上記実施形態に係る容器体及び容器３においては、着脱自在な第１部材３ａと第２部材３ｂとにより、長手方向と直交する方向で分割できる構成を説明したが、斯かる構成に限られない。例えば、図１３に示すように、容器３は、着脱自在な第１部材３ａと第２部材３ｂとにより、長手方向で分割できる構成でもよい。
【００６１】
そして、図１３に示す第１部材３ａは、第１〜第３周壁部３１１〜３１３と、第１及び第２端壁部３２，３３とを備えると共に、第２部材３ｂは、第４周壁部３１４を備える。また、第１部材３ａは、凹部３０ａ，…を備えると共に、第２部材３ｂは、第１部材３ａと着脱自在とすべく、凹部３０ａに嵌合する凸部３０ｂ，…を備える。
【００６２】
また、上記実施形態に係る容器体及び容器３においては、保持手段３４（保持部３４１，３４２）が内容物１の長手方向の各端部を保持する構成を説明したが、斯かる構成に限られない。例えば、保持手段３４は、内容物１の長手方向の中途部を保持する場合でもよい。
【００６３】
また、上記実施形態に係る容器体及び容器３においては、保持手段３４が二つの保持部３４１，３４２を備える構成を説明したが、斯かる構成に限られない。例えば、保持手段３４は、一つの保持部３４１を備える構成でもよく、また、三つ以上の保持部３４１，３４２，…を備える構成でもよい。
【００６４】
また、上記実施形態に係る容器体及び容器３においては、保持手段３４（各保持部３４１，３４２）が、円筒状に形成されると共に、溝部３４１ａ，３４２ａを有ることで断続的な環形状に形成される構成を説明したが、斯かる構成に限られない。例えば、保持手段３４は、角筒状に形成される構成でもよく、図１４（ａ）に示すように、袋体２全体を挿入するように、連続的な環形状に形成される構成でもよい。
【００６５】
また、図１４（ｂ）に示すように、保持手段３４は、複数の突出部３４３，…を備えることで筒状に形成され、各突出部３４３，…間に内容物１を配置（挿入）する構成でもよい。さらに、図１４（ｃ）に示すように、保持手段３４は、複数の突出部３４４，３４４を備え、各突出部３４４の先端部が内容物１に設けられる凹状の被係止部１１に挿入されることで、内容物１を係止して保持する構成でもよい。
【００６６】
また、上記実施形態に係る容器体及び容器３においては、容器３が長尺な直方体状に形成され、容器３の長手方向の一方側と他方側とにそれぞれ第１及び第２開口部３２１，３３１が配設される構成を説明したが、斯かる構成に限られない。例えば、容器３は、円柱状や三角柱状に形成される構成でもよく、また、容器３の幅方向（長手方向と直交する方向）の一方側と他方側とにそれぞれ開口部３２１，３３１が配設される構成でもよい。
【００６７】
また、上記実施形態に係る容器体及び容器３においては、各開口部３２１，３３１が直線状のスリットで形成される構成を説明したが、斯かる構成に限られない。例えば、各開口部３２１，３３１は、曲線状の（湾曲した）スリットで形成される構成でもよく、また、円形状や多角形状に形成される開口である構成でもよい。
【００６８】
要するに、開口部３２１，３３１は、袋体２が開封される前（未開封の状態）においては、袋体２を完全に引き抜くことができないような大きさに設定されていると共に、一方側の開口部３２１から露出する露出部２４で袋体２が開封され、袋体２が他方側の開口部３３１から引き出される際には、内容物１が容器３の内部で袋体２から押し出されるような大きさに設定されていればよい。
【００６９】
また、上記実施形態に係る容器体及び容器３においては、第１挟持片３２２が連結片３１１ａに連結されることで可動する構成を説明したが、斯かる構成に限られない。例えば、第１及び第２挟持片３２２，３２３がそれぞれ可動する構成でもよく、第２挟持片のみが可動する構成でもよい。
【００７０】
また、上記実施形態に係る容器体及び容器３においては、連結片３１１ａが弾性変形することにより、第１及び第２挟持片３２２，３２３が接離する構成を説明したが、斯かる構成に限られない。例えば、開口部３２１（第１端壁部３２）は、ゴム等の弾性体で形成され、対向する内縁同士が接近するように弾性変形することで、袋体２を挟持する構成でもよい。
【００７１】
また、上記実施形態に係る容器体及び容器３においては、連結片３１１ａへの操作を解除すると、連結片３１１ａが復元することにより、第１挟持片３２２が第２挟持片３２３から離反する構成を説明したが、斯かる構成に限られない。例えば、第１及び第２挟持片３２２，３２３は、袋体２を挟持する状態で掛止し合うことにより、連結片３１１ａへの操作を解除しても、袋体２を挟持する状態を維持できる構成でもよい。
【００７２】
また、上記実施形態に係る容器体及び容器３においては、第１開口部３２１が変形可能な構成（袋体２を挟持可能な構成）であって、第２開口部３３１が所定の形状のまま変形しない構成を説明したが、斯かる構成に限られない。例えば、第１開口部３２１は、第２開口部３３１と略同じ構成、即ち、所定の形状のまま変形しない構成としてもよく、また、第２開口部３３１は、第１開口部３２１と略同じ構成、即ち、変形可能な構成（袋体２を挟持可能な構成）としてもよい。
【００７３】
また、上記実施形態に係る容器体においては、第１露出部２４を開封した後、第２露出部２５を把持し、第２開口部３３１を介して袋体２を容器３から引き出す方法を説明したが、斯かる方法に限られない。例えば、切断工具を使用して、第２露出部２５を開封した後、第１露出部２４を把持し、第１開口部３２１を介して袋体２を容器３から引き出す方法でもよい。
【符号の説明】
【００７４】
１…内容物、２…袋体、３…容器、２４…（第１の）露出部、２５…（第２の）露出部、３４…保持手段、３２１…（第１の）開口部、３３１…（第２の）開口部
【図１】
0005211148.tif 000002
【図２】
0005211148.tif 000003
【図３】
0005211148.tif 000004
【図４】
0005211148.tif 000005
【図５】
0005211148.tif 000006
【図６】
0005211148.tif 000007
【図７】
0005211148.tif 000008
【図８】
0005211148.tif 000009
【図９】
0005211148.tif 000010
【図１０】
0005211148.tif 000011
【図１１】
0005211148.tif 000012
【図１２】
0005211148.tif 000013
【図１３】
0005211148.tif 000014
【図１４】
0005211148.tif 000015